(57)【要約】      （修正有）【課題】バックサクション機能を備えたトリガー式ポンプディスペンサーを提供する。【解決手段】容器本体５０に装着され、揺動部４４の操作によって液体を吐出するトリガー式ポンプディスペンサー１０であって、容器本体５０内部に押し込み可能に保持された管体３０と、管体３０と連通するノズル筒２２と、管体３０とノズル筒２２との間に形成された収容室１８と、収容室１８の内容積を可変とする弾性蓋体２８とを備え、揺動部４４は、弾性蓋体２８を覆うように設けられ、弾性蓋体２８に向かって突出した押圧部４８が形成されている。【選択図】図１
0003216908.tif 000002
【実用新案登録請求の範囲】
【請求項１】
容器本体に装着され、揺動部の操作によって液体を吐出するトリガー式ポンプディスペンサーであって、
前記容器本体内部に押し込み可能に保持された管体と、
前記管体と連通するノズル筒と、
前記管体と前記ノズル筒との間に形成された収容室と、
前記収容室の内容積を可変とする弾性蓋体と
を備え、
前記揺動部は、前記弾性蓋体を覆うように設けられ、前記弾性蓋体に向かって突出した押圧部が形成されていることを特徴とするトリガー式ポンプディスペンサー。
【請求項２】
前記弾性蓋体は、前記押圧部に向けて湾曲していることを特徴とする請求項１記載のトリガー式ポンプディスペンサー。
【請求項３】
前記押圧部は、前記弾性蓋体と接触する湾曲した外周面を有することを特徴とする請求項１または２記載のトリガー式ポンプディスペンサー。
【請求項４】
前記収容室は、湾曲した内周面を有することを特徴とする請求項１〜３のいずれか１項記載のトリガー式ポンプディスペンサー。
【請求項５】
前記収容室の前記湾曲した内周面は第１の曲率を有し、
前記押圧部の前記湾曲した外周面は、前記第１の曲率より大きな第２の曲率を有することを特徴とする請求項４記載のトリガー式ポンプディスペンサー。
【考案の詳細な説明】
【技術分野】
【０００１】
本発明は、容器本体に収容された液体等の内容物を、揺動部の操作によって吐出するトリガー式ポンプディスペンサーに関する。
【背景技術】
【０００２】
ポンプディスペンサーとしては、押下げヘッドを押し下げてノズルから内容物を吐出する押下げ式、および揺動部としてのレバーを握り込んでノズルから内容物を吐出する、いわゆるトリガー式が知られている。【０００３】
押下げ式のポンプディスペンサーにおいては、ノズルの先端から内容物が垂れ落ちるのを防止するために、ノズル内に残留した内容物をポンプ本体に吸引するバックサクション機能が付与されている。押下げヘッドの上端部に弾性キャップを装着することによって、ノズル内に残留する内容物をより完全に引き戻すことを可能にしたことが開示されている（例えば、特許文献１）。
【先行技術文献】
【特許文献】
【０００４】
【特許文献１】実開平２−７０７５５号公報
【考案の概要】
【考案が解決しようとする課題】
【０００５】
しかしながら、上記特許文献１の場合、押下げヘッドを有する押下げ式のポンプディスペンサーにはバックサクション機能を付与できるものの、トリガー式のポンプディスペンサーには当該機能を適用できない。【０００６】
バックサクション機能は、押下げ式のポンプディスペンサーのみならず、トリガー式ポンプディスペンサーにおいても求められている。【０００７】
そこで本発明は、バックサクション機能を備えたトリガー式ポンプディスペンサーを提供することを目的とする。
【課題を解決するための手段】
【０００８】
本発明に係るトリガー式ポンプディスペンサーは、容器本体に装着され、揺動部の操作によって液体を吐出するトリガー式ポンプディスペンサーであって、前記容器本体内部に押し込み可能に保持された管体と、前記管体と連通するノズル筒と、前記管体と前記ノズル筒との間に形成された収容室と、前記収容室の内容積を可変とする弾性蓋体とを備え、前記揺動部は、前記弾性蓋体を覆うように設けられ、前記弾性蓋体に向かって突出した押圧部が形成されていることを特徴とする。
【考案の効果】
【０００９】
本発明によれば、トリガー式ポンプディスペンサーは、弾性蓋体が変形することで内容積が可変の収容室を有している。この弾性蓋体を押圧部で押圧して変形させることによって、収容室の内容積が減少する。収容室は、容器本体に押込み可能に保持された管体とノズル筒との間に設けられているので、弾性蓋体の形状が復元して収容室の内容積が増大する際には、ノズル筒内に残留した内容物を収容室に吸引するバックサクション機能が発現される。【００１０】
押圧部は、弾性蓋体に向かって突出して、トリガー式ポンプディスペンサーの揺動部に形成されている。この揺動部が揺動した際には、押圧部は弾性蓋体を収容室の内方に向けて押込むこととなる。したがって、揺動部を揺動させて押圧部で弾性蓋体を押圧することによって、収容室の内容積を減少させることができる。こうして、本実施形態のトリガー式ポンプディスペンサーは、バックサクション機能を発現することが可能となったものである。
【図面の簡単な説明】
【００１１】
【図１】本実施形態に係るトリガー式ポンプディスペンサーの構成を示す部分断面図である。
【図２】本実施形態に係るトリガー式ポンプディスペンサーにおける通液部の縦断面図である。
【図３】本実施形態に係るトリガー式ポンプディスペンサーにおける操作部の部分断面図である。
【図４】本実施形態に係るトリガー式ポンプディスペンサーにおける弾性蓋体が、押圧されて変形した状態を説明する部分断面図である。
【図５】変形例（１）に係るトリガー式ポンプディスペンサーの構成を示す部分断面図である。
【図６】変形例（１）に係るトリガー式ポンプディスペンサーにおける弾性蓋体が、押圧されて変形した状態を説明する部分断面図である。
【図７】変形例（２）に係るトリガー式ポンプディスペンサーの構成を示す部分断面図である。
【図８】変形例（２）に係るトリガー式ポンプディスペンサーにおける弾性蓋体が、押圧されて変形した状態を説明する部分断面図である。
【考案を実施するための形態】
【００１２】
以下、図面を参照して本発明の実施形態について詳細に説明する。
【００１３】
（全体構成）
本実施形態のトリガー式ポンプディスペンサー１０は、例えば図１に示すように、液体等の内容物を収容する容器本体５０に取り付けられて、この容器本体５０に収容された内容物を吐出することができる。図示するように、トリガー式ポンプディスペンサー１０は、キャップ３２を介して容器本体５０に取り付けることができる。
【００１４】
トリガー式ポンプディスペンサー１０においては、シリンダー３４がキャップ３２の頂面を貫通して設けられている。シリンダー３４内には、縦筒１４に保持された管体３０が挿入されている。管体３０は、図示しない圧縮コイルバネ等の付勢手段により上方に付勢されている。縦筒１４には、内容物を吐出するためのノズル筒２２が連通している。
【００１５】
縦筒１４およびノズル筒２２は、図２に示すように通液部１２の一部を構成する。縦筒１４の上端となる通液部１２の頂部１６には、収容室１８が設けられている。収容室１８は、貫通孔２０を介して縦筒１４の内部と通じているので、トリガー式ポンプディスペンサー１０においては、収容室１８は、管体３０とノズル筒２２との間に位置することになる。
【００１６】
図１に示したように、縦筒１４は、管体３０の上端部に外嵌されることによって、管体３０に接続されている。このように縦筒１４が管体３０の上端部に接続されていることから、本実施形態のトリガー式ポンプディスペンサー１０においては、通液部１２を押下げることによって、上方付勢力に抗して管体３０を容器本体５０内に押込み可能である。通液部１２の押下げについては、追って説明する。
【００１７】
ノズル筒２２は、基端部から先端部に向けて僅かに上方に傾斜している細長形状である。ノズル筒２２は、縦筒１４の内部と連通した吐出流路２４を有している。これによってノズル筒２２は、縦筒１４を介して管体３０と連通することができる。
【００１８】
本実施形態においては、収容室１８は湾曲した内周面を有する凹部からなる。貫通孔２０は、湾曲した内周面を有する収容室１８の略中央部に設けられている。こうした収容室１８の内部は、貫通孔２０および流出経路２４を介して、ノズル孔２２ａの外部と通じることになる。
【００１９】
収容室１８の開口は弾性蓋体２８によって閉じられている。本実施形態においては、弾性蓋体２８は、ゴム素材からなる上方に湾曲した形状であり、周縁下部に嵌合突起２８ａを有する。弾性蓋体２８は、周縁下部の嵌合突起２８ａを頂部１６の受け孔１７（図２参照）に嵌め込んで、頂部１６に取り付けられている。
【００２０】
追って説明するように弾性蓋体２８は、押圧部４８により押圧されて変形可能であり、弾性蓋体２８が変形することで収容室１８の内容積が減少する。弾性蓋体２８の変形が最大となった際には、弾性蓋体２８は収容室１８の内周面に接して、貫通孔２０の収容室１８側開口端が閉じられる。これが達成されるように、弾性蓋体２８の材質や厚さ、収容室１８の深さを適宜設定することが望まれる。
【００２１】
弾性蓋体２８を覆うように、揺動部４４が設けられている。揺動部４４は、先端に握りレバー４５を有している。揺動部４４は、図３に示すとおり操作部４０の一部である。操作部４０は、頂面をシリンダー３４が貫通するキャップ３２と、シリンダー３４の外周面の片側で、シリンダー３４およびキャップ３２に固定された固定部４２とを備えている。揺動部４４は、こうした固定部４２に、ヒンジ等の接続部品４６によって揺動可能に接続されている。図３は、図１における揺動部４４を全開にした状態を示したものである。本実施形態のトリガー式ポンプディスペンサー１０においては、操作部４０の固定部４２は、シリンダー３４および縦筒１４を挟んでノズル筒２２とは逆側になるように、キャップ３２およびシリンダー３４に固定されている。したがって、揺動部４４は、ノズル筒２２と同じ側で揺動可能である。
【００２２】
図１に示すように、揺動部４４には、収容室１８の開口を閉じる弾性蓋体２８に向かって突出した押圧部４８が形成されている。本実施形態においては、押圧部４８は揺動部４４と一体に形成された凸部によって構成される。押圧部４８により弾性蓋体２８が押圧されると、弾性蓋体２８は収容室１８の内周面に向かって変形して、収容室１８の内容積が減少する。
【００２３】
押圧部４８の形状および大きさは、弾性蓋体２８の変形によって収容室１８の内容積を確実に減少させることができるように設定される。本実施形態においては、押圧部４８は、弾性蓋体２８に接触し、湾曲した外周面を有する。変形した弾性蓋体２８によって貫通孔２０の収容室１８側開口端を閉じることができるよう、押圧部４８の中央部が収容室１８の中央部に対応する位置で、揺動部４４の下面に押圧部４８が設けられることが望まれる。押圧部４８の湾曲した外周面の曲率は、収容室１８の内周面の曲率より大きいことが好ましい。
【００２４】
（動作および効果）
上記のように構成されたトリガー式ポンプディスペンサー１０は、揺動部４４の操作に伴う管体３０の下降変位により、容器本体５０から内容物を吸い上げ、この吸い上げた内容物を、ノズル筒２２を介して目的の個所に吐出することができる。
【００２５】
揺動部４４が矢印Ａ方向に揺動することによって、弾性蓋体２８は押圧部４８に押圧されて変形する。揺動部４４は、握りレバー４５をシリンダー３４に向けて握り込むことによって揺動させることができる。弾性蓋体２８が変形すると、弾性蓋体２８で開口が閉じられた収容室１８の内容積が減少する。図４に示すように、変形した弾性蓋体２８が収容室１８の内周面に接するまで、揺動部４４を揺動させることができる。
【００２６】
このとき、収容室１８の開口から縦筒１４の内部へ貫通する貫通孔２０の収容室１８側開口端は、変形した弾性蓋体２８によって閉じられることとなる。押圧部４８が弾性蓋体２８に接するのに加えて、押圧部４８近傍の揺動部４４の内面が通液部１２の頂部１６の一部に接して下方に移動することによって、通液部１２が押下げられる。
【００２７】
ここまでの過程の途中で、ノズル筒２２のノズル孔２２ａから内容物が吐出される。具体的には、握りレバー４５をシリンダー３４に向けて握りこんで揺動部４４を揺動させることによって、上述したように通液部１２が下方向に移動する。このような通液部１２の移動により、管体３０は、上方付勢力に抗して容器本体５０内部に押込まれる。
【００２８】
容器本体５０の内部の内容物は、図示しないポンプ機構によって、管体３０を介して通液部１２内に送られる。さらに、内容物は、縦筒１４の内側からノズル筒２２の吐出流路２４を通って、ノズル筒２２のノズル孔２２ａから吐出される。この際、吐出流路２４内の内容物は、必ずしも完全にノズル孔２２ａから吐出されるわけではない。内容物の一部は、ノズル孔２２ａ近傍や吐出流路２４内に残留することがある。
【００２９】
本実施形態においては、弾性蓋体２８を押圧する押圧部４８は、揺動部４４の下面に設けられており、この揺動部４４は通液部１２の頂部１６の上方を覆っている。したがって、揺動部４４を揺動させることによって、弾性蓋体２８を押圧して変形させることができる。
【００３０】
内容物がノズル孔２２ａから吐出された後、握りレバー４５の握り込みを解除すると、揺動部４４の内面が通液部１２の頂部１６から離れ、管体３０に作用している上方付勢力によって通液部１２が上方に移動する。また、弾性蓋体２８自体の復元力によって、変形した弾性蓋体２８の形状が復元して押圧部４８が押上げられる。こうして、揺動部４４の位置は、握りレバー４５を握りこむ前の状態に復帰する（図１）。収容室１８の内容積は押込み前の状態に戻るので、結果として、収容室１８の内容積は増大することになる。
【００３１】
このように内容積が増大することによって、弾性蓋体２８で開口が閉じられた収容室１８内は負圧化し、吐出流路２４および貫通孔２０を介してノズル孔２２ａから外気が吸い込まれる。弾性蓋体２８が大きく変形して収容室１８の内容積がより小さくなった際には、握り込み解除後の負圧化の程度がより大きくなる。弾性蓋体２８が十分に変形して貫通孔２０の収容室１８側開口端が閉じていた場合には、握りレバー４５の握り込みの解除に起因する負圧化の程度は最大となる。
【００３２】
外気がノズル孔２２ａから吸い込まれる際、ノズル孔２２ａ近傍や吐出流路２４内に残留している内容物は、吐出流路２４から頂部１６の貫通孔２０を介して収容室１８内に引き込まれる。本実施形態のトリガー式ポンプディスペンサー１０においては、このようにバックサクション機能が発現して、ノズル孔２２ａから内容物が垂れ落ちることが防止される。収容室１８内に引き込まれた内容物は、管体３０を介して容器本体５０内に落下する。
【００３３】
バックサクション機能を発現させるためには、まず、弾性蓋体２８で開口が閉じられた収容室１８の内容積を減少させることが必要である。上述したとおり本実施形態においては、収容室１８は通液部１２の頂部１６に設けられており、こうした通液部１２の頂部１６の上方を覆う揺動部４４の握りレバー４５を握り込むことによって、収容室１８の内容積を減少させることができる。
【００３４】
本実施形態のトリガー式ポンプディスペンサー１０においては、揺動部４４の一回の操作によって、弾性蓋体２８の押下げとともに、通液部１２の下方向への移動が達成されるので、ノズル孔２２ａから内容物を吐出するための一連の動作により収容室１８の内容積を減少させて、バックサクション機能を発現させることが可能となった。
【００３５】
（変形例）
本発明は上記実施形態に限定されるものではなく、本発明の趣旨の範囲内で適宜変更することが可能である。
【００３６】
上記実施形態においては、通液部１２の頂部１６に設ける収容室１８は、湾曲した内周面を有する形状としたが、弾性蓋体２８で開口を閉じることができ、押圧された弾性蓋体２８が変形することで内容積が減少する構造であれば、任意の形状、大きさで設けることができる。
【００３７】
収容室１８の開口を閉じる弾性蓋体２８は、各種ゴム素材、エラストマー、軟質樹脂等の弾性変形可能な材料により作製してもよい。弾性蓋体２８は、押圧された際に収容室１８の内容積を減少させて、収容室１８の内容積の増大に伴うバックサクション機能を発現することができれば、平坦または下方に僅かに湾曲した形状としてもよい。また、弾性蓋体２８は、接着剤により周縁下部を接着することにより頂部１６に取り付けることもできる。
【００３８】
揺動部４４に設けられる押圧部４８は、弾性蓋体２８を押圧して変形させて収容室１８の内容積を減少させ、収容室１８の内容積の増大に伴うバックサクション機能を発現することができれば、形状や大きさなどは適宜設定することができる。例えば、揺動部４４とは別体の突起として、接着剤等により揺動部４４の内面に接着して設けてもよい。
【００３９】
通液部１２における縦筒１４は、管体３０と連通するように、任意の方法で管体３０の上端部に接続することができる。例えば、縦筒１４を管体３０の上端部に内嵌させてもよい。あるいは、縦筒１４と管体３０とを螺合させることによって、両者を接続することも可能である。
【００４０】
また、ノズル筒２２は、先端部と基端部とが同じ高さであってもよい。場合によっては、ノズル筒２２は、ほぼ水平に通液部１２の外方に延出し、その先端部が下方に向かって僅かに屈曲した細長形状とすることもできる。
【００４１】
揺動部４４に設けられた押圧部４８によって弾性蓋体２８を押圧して、通液部１２の頂部１６の収容部１８の内容積を減少させることができれば、操作部４０は任意の構成とすることができる。
【００４２】
例えば、図５におけるトリガー式ポンプディスペンサー１０Ａに示すように、ノズル筒２２と同じ側となるように、固定部４２Ａをキャップ３２およびシリンダー３４に固定して操作部を構成してもよい。シリンダー３４および縦筒１４を挟んでノズル筒２２の逆側で揺動可能となるように、この固定部４２Ａに対して揺動部４４Ａを設ける（変形例（１））。揺動部４４Ａの先端の握りレバー４５Ａをシリンダー３４に向けて握り込むことによって、揺動部４４Ａは図中矢印Ｂ方向に揺動する。揺動部４４Ａの揺動方向が異なる以外は上述と同様のメカニズムにより、図６に示すように押圧部４８Ａによって弾性蓋体２８を押圧することができる。
【００４３】
あるいは、図７におけるトリガー式ポンプディスペンサー１０Ｂに示すように、操作部における揺動部４４Ｂは、先端の握りレバー４５Ｂを下方向に握り込むことによって、矢印Ｃ方向に揺動する構成としてもよい（変形例（２））。この場合には、ノズル筒２２と同じ側となるように、キャップ３２およびシリンダー３４に固定部４２Ｂを固定する。この固定部４２Ｂの逆側には、指掛け部４２Ｃをキャップ３２およびシリンダー３４に固定する。さらに、ノズル筒２２の逆側で揺動可能となるように、固定部４２Ｂに対して揺動部４４Ｂを設ける。握りレバー４５Ｂを握り込むことによって、揺動部４４Ｂは図中矢印Ｃ方向に揺動する。揺動部４４Ｂの揺動方向が異なる以外は上述と同様のメカニズムにより、図８に示すように押圧部４８Ｂによって弾性蓋体２８を押圧することができる。
【００４４】
通液部１２の頂部１６の弾性蓋体２８を押圧可能に、押圧部４８Ａ，４８Ｂが揺動部４４Ａ，４４Ｂに設けられていることによって、変形例（１）、変形例（２）のトリガー式ポンプディスペンサー１０Ａ，１０Ｂにおいても、ノズル孔２２ａから内容物を吐出するための一連の動作により収容室１８の内容積を減少させて、バックサクション機能を発現させることが可能となった。
【符号の説明】
【００４５】
１０，１０Ａ，１０Ｂ  トリガー式ポンプディスペンサー
１２                  通液部
１４                  縦筒
１６                  頂部
１７                  受け孔
１８                  収容室
２０                  貫通孔
２２                  ノズル筒
２２ａ                ノズル孔
２４                  吐出流路
２８                  弾性蓋体
２８ａ                嵌合突起
３０                  管体
３２                  キャップ
３４                  シリンダー
４０                  操作部
４２，４２Ａ，４２Ｂ  固定部
４２Ｃ                指掛け部
４４，４４Ａ，４４Ｂ  揺動部
４５，４５Ａ，４５Ｂ  握りレバー
４８，４８Ａ，４８Ｂ  押圧部
５０                  容器本体
【図１】
0003216908.tif 000003
【図２】
0003216908.tif 000004
【図３】
0003216908.tif 000005
【図４】
0003216908.tif 000006
【図５】
0003216908.tif 000007
【図６】
0003216908.tif 000008
【図７】
0003216908.tif 000009
【図８】
0003216908.tif 000010